(57)【要約】【課題】  手術を容易に行なえる手術器具用先端具及び手術器具を提供する。【解決手段】  サイナスリフトインスツルメント用先端具１は２４Ｋの金で構成されていると共に、骨膜を剥がしたり、骨補充材を填入したりする作業に適した形状を有する、第１の開口部４が形成された第１の端部２と、サイナスリフトインスツルメントの本体に着脱自在に取付けられる、第２の開口部５が形成された第２の端部３と、本体６に形成された突出部７と、第１の開口部及び第２の開口部に通されて第１の端部と第２の端部を連結する糸８から構成されている。（ａ）に示されたサイナスリフトインスツルメント用先端具は、骨膜を剥離するためにスプーン形状の第１の端部を備えており、（ｂ）に示されたサイナスリフトインスツルメント用先端具は、骨補充材を保持できるよう第１の端部に凹部２Ａが形成されている。【選択図】  図１
2006305215.tif 000002
【特許請求の範囲】
【請求項１】
手術器具本体の端部に着脱自在に取付けられる手術器具用先端具であって、
手術に必要な力では曲がらないと共に、手術に必要な力より大きく所定の力以下で曲がるよう構成されている
手術器具用先端具。
【請求項２】
金で構成されている
請求項１に記載の手術器具用先端具。
【請求項３】
手術時に作業する先端部と、
基端部とを備えると共に、
前記先端部と前記基端部とが連結されている
請求項１または請求項２に記載の手術器具用先端具。
【請求項４】
本体と、該本体の端部に着脱自在に取付けられた先端具を備える手術器具であって、
前記先端具は、手術に必要な力では曲がらないと共に、手術に必要な力より大きく所定の力以下で曲がるよう構成されている
手術器具。
【請求項５】
前記先端具は金で構成されている
請求項４に記載の手術器具。
【請求項６】
前記先端具は、
手術時に作業する先端部と、
手術器具本体に着脱自在に取り付けられる基端部とを備えると共に、
前記先端部と前記基端部とが連結されている
請求項４または請求項５に記載の手術器具。
【発明の詳細な説明】
【技術分野】
【０００１】
本発明は手術器具用先端具並びに手術器具に関する。詳しくは、先端具を、手術に必要な力では曲がらないと共に、手術に必要な力より大きく所定の力以下で曲がるよう構成することで、手術を容易に行なえるようにする、手術器具用先端具並びに手術器具に係るものである。
【背景技術】
【０００２】
従来、手術において使われる手術器具としては様々な種類の器具があり、例えば体内の骨膜等を剥がすための器具も多種あるが、その骨膜が複雑な形態の部位に位置していると共に薄い膜であるとその手術は容易ではなく、少しでも手術を容易なものにすべく様々な器具が提案されている。以下に、歯科手術の例を挙げて説明する。
【０００３】
永久歯を失うと歯は二度と生え変わらないため、入れ歯等を用いて永久歯が失われた部分を補っているが、入れ歯では硬いものをうまく噛めなかったり、長く使っている間に合わなくなってガタついたりしていた。
【０００４】
そこで、失った歯の替わりに、人工の歯根（インプラント）を顎の骨に埋め込み、その上に人工の歯を作製し、噛み合わせを回復する治療法が行なわれている。
【０００５】
ところで、インプラントを顎骨に固定する場合、顎骨に十分な厚みと、インプラントを支えられるだけの強度がなければならないが、下顎骨はインプラント埋設に必要な厚みと強度が十分にあるのに対して、図３に示すように上顎骨１１には、副鼻腔の１つである上顎洞１２と呼ばれる大きな空洞が存在し、この上顎洞１２が様々な要因で拡大する傾向を持っており、更に歯１４がなくなると上顎洞１２の拡大が進行して歯槽骨１３が薄くなるためインプラントを支えるだけの厚みと強度がない。このままではインプラント埋設が困難なので、図４に示すように上顎洞底粘膜１６を拳上（剥離）して上顎洞底１７と粘膜との間にスペースを形成し、このスペースに骨補填材等を導入するサイナスリフト（上顎洞底粘膜拳上）手術が行なわれる。この上顎洞底粘膜１６を剥離するために用いる手術器具１５が、サイナスリフトインスツルメントと呼ばれるものである。
【０００６】
また、この上顎洞底粘膜は、皮膚のようにとても薄く、サイナスリフトインスツルメントの操作を誤ると簡単に破けてしまい、場合によっては副鼻腔炎となることもある。また、上顎洞内部が見えないため、上顎洞底粘膜を剥離する際、サイナスリフトインスツルメントを介しての手指の感覚で剥離具合等を確かめなくてはならない。更に、上顎洞内の形態は人によって異なると共に複雑な形態をしている。このように困難なサイナスリフト手術を少しでも容易にすべく様々なサイナスリフトインスツルメントが提案されている（例えば、特許文献１参照。）。
【０００７】
図５に、従来のサイナスリフトインスツルメントの先端部品の概略平面図を示す。従来のサイナスリフトインスツルメントの先端部品１０１は、ハンドピース（図示せず。）の取付部（図示せず。）と係合することができる受座１０２を備えている。受座１０２はハンドピース（図示せず。）の軸線と概略並行な軸線を有する幹部１０３に接続している。幹部１０３はハンドピース（図示せず。）の頭部（図示せず。）に接続する肘部分１０４で終わっている。
【０００８】
【特許文献１】特開２００１−２０４７３５号公報
【発明の開示】
【発明が解決しようとする課題】
【０００９】
しかしながら、従来のサイナスリフトインスツルメントの先端部品はスチール製であり硬くて、例えば人が素手で曲げられないため、人によって異なり複雑な上顎洞内の形態に適した形状に適宜変化させることが困難であり、上顎洞底粘膜を剥がしにくく、場合によっては上顎洞底粘膜を破ってしまい、手術が困難であった。
【００１０】
本発明は、以上の点に鑑みて創案されたものであり、手術を容易に行なえる手術器具用先端具及び手術器具を提供することを目的とする。
【課題を解決するための手段】
【００１１】
上記の目的を達成するために、本発明の手術器具用先端具は、手術器具本体の端部に着脱自在に取付けられる手術器具用先端具であって、手術に必要な力では曲がらないと共に、手術に必要な力より大きく所定の力以下で曲がるよう構成されている。
【００１２】
ところで、「所定の力」とは、施術前に容易に付与することができる力（例えば、人が素手で加えることができる力）を意味するものであり、この様な力で曲げることができる様に構成することで、施術前に体内の複雑な形態に適した形状に容易に変形させることができる。なお、手術に必要な力では曲がらないとしても、極めて大きな力を付与しなければ曲がらない場合、即ち、所定の力を超えた大きな力を付与しなければ変形しない場合には、施術前に容易に変形させることができないこととなる。
【００１３】
また、上記の目的を達成するために、本発明の手術器具は、本体と、該本体の端部に着脱自在に取付けられた先端具を備える手術器具であって、前記先端具は、手術に必要な力では曲がらないと共に、手術に必要な力より大きく所定の力以下で曲がるよう構成されている。
【００１４】
ここで、本体は医師等が把持する部分であり、先端具は膜を剥がす等の作業をする部分である。
【発明の効果】
【００１５】
本発明に係る手術器具用先端具を用いることによって、手術を容易に行なうことができる。
【００１６】
また、本発明に係る手術器具を用いることによって、手術を容易に行なうことができる。
【発明を実施するための最良の形態】
【００１７】
以下、本発明の実施の形態について図面を参照しながら説明し、本発明の理解に供する。図１の（ａ）は、骨膜剥離に適した形状を有する本発明を適用したサイナスリフトインスツルメント用先端具の一例を、図１の（ｂ）は、骨補充材填入に適した形状を有する本発明を適用したサイナスリフトインスツルメント用先端具の一例をそれぞれ示す概略平面図である。
【００１８】
サイナスリフトインスツルメント用先端具１は２４Ｋの金で構成されていると共に、骨膜（上顎洞底粘膜）を剥がしたり、骨補充材を填入したりする作業に適した形状を有する、第１の開口部４が形成された第１の端部（先端部）２と、サイナスリフトインスツルメントの本体に着脱自在に取付けられる、第２の開口部５が形成された第２の端部（基端部）３と、本体６に形成された突出部７と、第１の開口部及び第２の開口部に通されて第１の端部と第２の端部を連結する糸８から構成されている。図１（ａ）に示されたサイナスリフトインスツルメント用先端具は、骨膜を剥離するためにスプーン形状の第１の端部を備えており、図１（ｂ）に示されたサイナスリフトインスツルメント用先端具は、骨補充材を保持できるよう第１の端部に凹部２Ａが形成されている。
【００１９】
ここで、サイナスリフトインスツルメント用先端具が手術に必要な力では曲がらないと共に、手術に必要な力より大きく所定の力以下で曲がるよう構成されているのであれば、サイナスリフトインスツルメント用先端具は２４Ｋの金で構成されていなくてもよく、また、金で構成されていなくてもよい。更に、サイナスリフトインスツルメント用先端具を構成する金は、先端具が手術に必要な力では曲がらないと共に、手術に必要な力より大きく所定の力以下で曲がるよう構成されれば、１８Ｋの金でもよい。
【００２０】
更に、サイナスリフトインスツルメント用先端具が手術に必要な力では曲がらないと共に、手術に必要な力より大きく所定の力以下で曲がるよう構成されているのであれば、サイナスリフトインスツルメント用先端具は、骨膜（上顎洞底粘膜）を剥がしたり、骨補充材を填入したりする作業に適した形状を有する、第１の開口部が形成された第１の端部を備えていなくてもよい。また、サイナスリフトインスツルメント用先端具が手術に必要な力では曲がらないと共に、手術に必要な力より大きく所定の力以下で曲がるよう構成されているのであれば、第１の端部はどの様な形状を有していてもよく、例えば鉤形状の第１の端部をサイナスリフトインスツルメント用先端具は備えていてもよい。
【００２１】
また、サイナスリフトインスツルメント用先端具が手術に必要な力では曲がらないと共に、手術に必要な力より大きく所定の力以下で曲がるよう構成されているのであれば、サイナスリフトインスツルメント用先端具は、サイナスリフトインスツルメントの本体に着脱自在に取付けられる、第２の開口部が形成された第２の端部を備えていなくてもよい。また、サイナスリフトインスツルメント用先端具が手術に必要な力では曲がらないと共に、手術に必要な力より大きく所定の力以下で曲がるよう構成されているのであれば、第２の端部はどのような形状を有していてもよい。
【００２２】
また、サイナスリフトインスツルメント用先端具が手術に必要な力では曲がらないと共に、手術に必要な力より大きく所定の力以下で曲がるよう構成されているのであれば、本体に突出部が形成されていなくてもよく、また、例えば５ｍｍの等間隔ごとに複数の突出部が形成されていてもよい。また、図１の突出部は半円形状を有しているが、サイナスリフトインスツルメント用先端具が手術に必要な力では曲がらないと共に、手術に必要な力より大きく所定の力以下で曲がるよう構成されているのであれば、どの様な形状でもよい。
【００２３】
また、サイナスリフトインスツルメント用先端具が手術に必要な力では曲がらないと共に、手術に必要な力より大きく所定の力以下で曲がるよう構成されているのであれば、開口部は形成されていなくてもよく、また、第１の端部と第２の端部が連結されていなくてもよい。また、第１の端部と第２の端部が連結されていれば、糸を用いて連結していなくてもよい。
【００２４】
図２は、本発明を適用したサイナスリフトインスツルメントの一例を示す概略平面図である。本発明を適用したサイナスリフトインスツルメント９は、歯科医師等が把持する本体１０と、本体の両端部に着脱自在に取付けられた先端具１からなる。
【００２５】
ここで、サイナスリフトインスツルメントの本体は、先端具が手術に必要な力では曲がらないと共に、手術に必要な力より大きく所定の力以下で曲がるよう構成されていれば、どのような材質で構成されていてもよい。
【００２６】
なお、実施例では歯科手術の例を挙げて説明しているが、本発明を適用した手術器具用先端具や手術器具は、外科手術においても使用できることは勿論である。
【００２７】
このように、本発明を適用した手術器具用先端具は、手術に必要な力では曲がらないと共に、手術に必要な力より大きく所定の力（例えば、人が素手で加えることができる力）以下で曲がるので、この先端具を備えた手術器具は、人によって異なる様々な体内の形態に応じて形状を変えることができ、また、手術時には曲がることなく手術を行なえて、更には上顎洞内のような見えない体内部位にも届き、手術を容易にすることができる。
【００２８】
また、本発明を適用した手術器具用先端具は２４Ｋの金で構成されているので、曲げを繰り返しても金属疲労を受けにくく、生体親和性もよい。更に、本発明を適用した手術器具用先端具は２４Ｋの金で構成されているので、２４Ｋの金の適度な柔らかさにより、先端具が接触したものが手指に伝わり、手術中において微妙な力加減を制御できる。
【００２９】
更に、本発明を適用した手術器具用先端具は、第１の端部に形成された第１の開口部と第２の端部に形成された第２の開口部を糸が通って、第１の端部と第２の端部を連結しているので、手術中に先端具が折れた場合でも、手術器具を体内から取り出すことで、手術器具の本体に取付けられた第２の端部と共に第１の端部も取り出すことができ、体内に第１の端部を取り残すことがない。
【００３０】
また、突出部によって、先端具がどの程度上顎洞内に入り込んでいるかを判断できる。
【図面の簡単な説明】
【００３１】
【図１】（ａ）は、骨膜剥離に適した形状を有する本発明を適用したサイナスリフトインスツルメント用先端具の一例を、（ｂ）は、骨補充材填入に適した形状を有する本発明を適用したサイナスリフトインスツルメント用先端具の一例をそれぞれ示す概略平面図である。
【図２】本発明を適用したサイナスリフトインスツルメントの一例を示す概略平面図である。
【図３】上顎骨にある上顎洞の概略説明図である。
【図４】図３のＡ−Ａ´線に沿った上顎洞の断面を基にサイナスリフト手術の一例を示す概略説明図である。
【図５】従来のサイナスリフトインスツルメントの先端部品の概略平面図である。
【符号の説明】
【００３２】
１    サイナスリフトインスツルメント用先端具
２    第１の端部
２Ａ  凹部
３    第２の端部
４    第１の開口部
５    第２の開口部
６    本体
７    突出部
８    糸
９    サイナスリフトインスツルメント
１０    本体
１１    上顎骨
１２    上顎洞
１３    歯槽骨
１４    歯
１５    手術器具
１６    上顎洞底粘膜
１７    上顎洞底
【図１】
2006305215.tif 000003
【図２】
2006305215.tif 000004
【図３】
2006305215.tif 000005
【図４】
2006305215.tif 000006
【図５】
2006305215.tif 000007